(57)【要約】      （修正有）【課題】簡単な構造で、製作費が安価となり、種々の面積の発光体にも使用できる光チューブ取付装置を提供する。【解決手段】懐中電灯などの発光体３の光源３ｂにより先端部２ａや胴部２ｃを光らせる光チューブ２の基端部２ｂを保持するアダプター１を自己粘着ゴムにより構成し、当該アダプター１を懐中電灯などの発光体３の発光面３ａに粘着させて保持した。【選択図】図１
0003205958.tif 000002
【実用新案登録請求の範囲】
【請求項１】
懐中電灯などの発光体の光源により先端部や胴部を光らせる光チューブの基端部を保持するアダプターを自己粘着ゴムにより構成し、当該アダプターを前記発光体の発光面に粘着させて保持したことを特徴とする光チューブ取付装置。
【考案の詳細な説明】
【技術分野】
【０００１】  本考案は、懐中電灯などの発光体の光源により先端部や胴部を光らせる光チューブの基端部を保持するアダプターを自己粘着ゴムにより構成し、当該アダプターを前記発光体の発光面に粘着させて保持したことを特徴とする光チューブ取付装置を構成とする。
【背景技術】
【０００２】  従来の装置は、専用のアダプターを介して、光チューブを懐中電灯などの発光体に固定していた。【０００３】  しかしながら、従来の装置は、アダプターを懐中電灯などの発光体に応じた特殊な固定構造にする必要がある結果、構造が複雑で製作費が高価となり、その上別の構造を持つ発光体に使用できないという問題があった。
【先行技術文献】
【０００４】
【特許文献】
【特許文献】  登録実用新案登録  第３０６２８７７号
【考案の概要】
【考案が解決しようとする課題】
【０００５】  本考案は、上記のような従来の欠点に鑑み、簡単な構造で、製作費が安価となり、その上別の構造を持つ発光体にも使用できる光チューブ取付装置を提供する事を目的としている。
【課題を解決するための手段】
【０００６】  上記目的を達成するために、本考案に係る光チューブ取付装置は、懐中電灯などの発光体の光源により先端部や胴部を光らせる光チューブの基端部を保持するアダプターを自己粘着ゴムにより構成し、当該アダプターを前記発光体の発光面に粘着させて保持したことを特徴とする。
【考案の効果】
【０００７】  以上の説明から明らかなように、本考案にあっては次に列挙する効果が得られる。
（１）懐中電灯などの発光体の光源により先端部や胴部を光らせる光チューブの基端部を保持するアダプターを自己粘着ゴムにより構成し、当該アダプターを前記発光体の発光面に粘着させて保持した光チューブ取付装置により、構造が簡単で、製作費が安価となり、その上別の構造を持つ発光体にも使用できる光チューブ取付装置を提供できる。【０００８】（２）自己粘着ゴム製アダプターの光チューブ取付部内部に突起を設ければ、当該突起の構造によりアダプターと光チューブとの粘着力Ａの調整ができるので、アダプターに光チューブを差し込む際に必要な力を考慮した設計が可能であると共に、前記アダプターと発光体の発光面との粘着力Ｂを十分確保した粘着力Ａの設計が可能となる。【０００９】（３）更にアダプターの光チューブ取付部の上記突起を光チューブ面に対して傾斜させることにより、光チューブの長さ方向の固定力に差を設けることができ、差し込む時に必要な力に比較して、両者が外れ難くすることができる。【００１０】（４）アダプターにフランジなどを設けることにより、懐中電灯などの発光体の発光面との粘着力が向上し、比較的小面積の発光面を有する発光体にも使用でき、更に汎用性が向上する。
【図面の簡単な説明】
【００１１】
【図１】本考案を実施するための最良の形態の断面図である。
【図２】突起の別の形状を示す一部断面図である。
【図３】アダプターにフランジを設けた一部断面図である。
【考案を実施するための形態】
【００１２】以下、本考案の実施の形態を図に基づいて説明する。
【実施例１】
【００１３】  図１は、本考案装置の実施例１の断面図であって、光チューブ２の基端部２ｂを保持するアダプター１を自己粘着ゴムにより構成し、当該アダプター１の粘着部１ｂを懐中電灯などの発光体３の（ガラス製などの）発光面３ａに粘着させて保持した構造を示す。なお、光チューブ２は導光チューブなどとも称され、アクリルファイバー製などの柔軟性のあるチューブで、発光体３の光源３ｂにより先端部２ａや胴部２ｂが光り、自動車の照明の一部やネオンサインの装飾の他、検査工程で使用する機器などに最近広く利用されている。また、懐中電灯などの発光体３の光源３ｂとしては、最近ＬＥＤが一般的となっているが、電球などの他の光源でもよい。【００１４】  本考案に係る光チューブ取付装置は、以下のように組み立てる。【００１５】  まず、光チューブ２の基端部２ｂを、アダプター１の粘着部１ｂから突出しないよう粘着部１ｂと反対側から挿入する。そして、光チューブ２の基端部２ｂとアダプター１は、アダプター１の自己粘着ゴムの粘着作用により固定される。次いで、アダプター１の粘着部１ｂを懐中電灯などの発光体３の（ガラス製などの）発光面３ａに押し付けて粘着させることにより、アダプター１を介して光チューブ２が発光体３に固定され、光チューブアセンブル（組立体）が完成する。【００１６】  なお、当該光チューブアセンブルを発光体３の発光面３ａから取り外すには、アダプター１と懐中電灯などの発光体３を持って、粘着部１ｂと発光面３ａの粘着力Ｂ以上のひねりを加えればよい。【００１７】  また、図１に示すように、自己粘着ゴム製アダプター１の光チューブ取付部１ｃ内部に突起１ａを設ければ、当該突起の構造によりアダプター１と光チューブ２との粘着力Ａの調整ができるので、アダプター１に光チューブ２を差し込む際に必要な力を考慮した設計が可能であると共に、前記アダプター１と発光体３の発光面３ａとの粘着力Ｂを十分確保した上での粘着力Ａの設計が可能となる。【００１８】  更に図２に図示するように、アダプター１の光チューブ取付部１ｃの上記突起１ａを光チューブ胴部２ｂに対して傾斜させることにより、光チューブ２の長さ方向の固定力に差を設けることができるので、比較的軽い力で光チューブ２をアダプター１に差し込みながら、両者が外れ難くすることができる。
【実施例２】
【００１９】  また、図３に図示するように、アダプター１の粘着部１ｂにフランジ１ｄを設けると、発光体３の発光面３ａとの粘着力Ｂが向上し、比較的小面積の発光面３ａを有する発光体３にも使用でき、更に汎用性が向上する。なお、大きさの異なるフランジ１ｄをアダプター１と別体に設けて、発光面３ａの面積に応じて選択的にアダプター１に固定して用いることで、種々の面積の発光面３ａを有する発光体３にも対応できる。【００２０】  次に光チューブアセンブル（組立体）の利用方法について説明する。
懐中電灯などのスイッチを入れると、発光体３の光源３ｂから発せられた光により光チューブ２の胴部２ｃ及び先端部２ａが光る。例えば、先端部２ｃの光を検査資料の内部または外部に照射して傷の有無を検査したり、各種機械装置の修理や点検の際などに、光チューブ２のフレキシビリティを利用して光チューブ２を奥まった各種機械装置の暗部まで侵入させ、先端部２ａまたは胴部２ｃで必要な部位を照らすことなどに利用する。
【産業上の利用可能性】
【００２１】本考案に係る光チューブ取付装置は、種々の検査工程や各種機械装置の修理や点検工程に使用する器具として、あるいはイルミネーションなどの広告などの産業で利用される。
【符号の説明】
【００２２】１    アダプター
１ａ  突起
１ｂ  粘着部
１ｃ  光チューブ取付部
１ｄ  フランジ
２    光チューブ
２ａ  先端部
２ｂ  基端部
２ｃ  胴部
３    発光体
３ａ  発光面
３ｂ  光源
Ａ    アダプターと光チューブとの粘着力
Ｂ    アダプターと発光面との粘着力
【図１】
0003205958.tif 000003
【図２】
0003205958.tif 000004
【図３】
0003205958.tif 000005